【手続補正書】
【提出日】平成25年10月1日(2013.10.1)
【手続補正１】
【補正対象書類名】明細書
【補正対象項目名】０００５
【補正方法】変更
【補正の内容】
【０００５】
本発明による押釦式スイッチ装置は、一対の固定接点が設けられた基部と、押圧操作により基部に向けて移動する操作部材と、基部と操作部材との間に介装され、操作部材の押圧操作により弾性変形し、操作部材に対して弾性変形に応じた非線形の反発力を付与する作動部材と、操作部材の押圧操作による弾性変形により一対の固定接点に当接し、一対の固定接点を短絡させる可動接点と、操作部材の押圧操作時に操作部材と共に動作して、操作部材が一定姿勢で移動するように操作部材の移動方向を規制する規制手段とを備え、規制手段は、互いに係合する一対のリンク部材を有し、該一対のリンク部材の一端部はそれぞれ基部に回動可能に支持され、他端部はそれぞれ操作部材に摺動可能に支持されることを特徴とする。
【手続補正２】
【補正対象書類名】明細書
【補正対象項目名】００３５
【補正方法】変更
【補正の内容】
【００３５】
平坦面５３ａは、図１０（ａ）の状態で、左右のガイド軸５３の平坦面５３ａが略ハの字形状となり、図１０（ｂ）の状態では、左右のガイド軸５３の平坦面５３ａが上下方向に延びて互いに平行に対向するように設けられている。これによりキートップ４０の取付時に、ガイド軸５３の平坦面５３ａを軸支持部４３の左右外側端面４３ａに沿ってガイド溝４４内に案内することができる。このため、キートップ４０を左右方向へずらす量が少なくなり、キートップ４０の取付が容易になる。また、キートップ４０の取付時に、ガイド軸５３に作用する力を低減でき、軸支持部４３とガイド軸５３の変形や破損を防止できる。キートップ４０の押圧操作時には、ガイド軸５３の平坦面５３ａが軸支持部４３に接することなく図１０（ａ）の状態から図１０（ｂ）の状態へと移行するため、ガイド軸５３の円滑な摺動を実現できる。
【手続補正３】
【補正対象書類名】明細書
【補正対象項目名】００４８
【補正方法】変更
【補正の内容】
【００４８】
ハウジング１３０は、略矩形の枠形状を呈する樹脂成形品であり、その四方角部にはそれぞれ下方に向けて脚部１３１が突設されている。ハウジング１３０の左右の脚部１３１の間には、それぞれ前後一対の側壁１３２が左右方向にかけて延設されている。脚部１３１は側壁１３２よりも下方に突出している。側壁１３２の下端面は、長孔１２４を介してサポートパネル１１０の上面に当接し、ハウジング１３０がサポートパネル１１０上に支持される。このとき、脚部１３１は貫通孔１１１を貫通し、その先端部はサポートパネル１１０の裏側で熱カシメされ、サポートパネル１１０に固定される。
【手続補正４】
【補正対象書類名】特許請求の範囲
【補正対象項目名】全文
【補正方法】変更
【補正の内容】
【特許請求の範囲】
【請求項１】
一対の固定接点が設けられた基部と、
押圧操作により前記基部に向けて移動する操作部材と、
前記基部と前記操作部材との間に介装され、前記操作部材の押圧操作により弾性変形し、前記操作部材に対して弾性変形に応じた非線形の反発力を付与する作動部材と、
前記操作部材の押圧操作による弾性変形により前記一対の固定接点に当接し、前記一対の固定接点を短絡させる可動接点と、
前記操作部材の押圧操作時に前記操作部材と共に動作して、前記操作部材が一定姿勢で移動するように前記操作部材の移動方向を規制する規制手段とを備え、
前記規制手段は、互いに係合する一対のリンク部材を有し、該一対のリンク部材の一端部はそれぞれ前記基部に回動可能に支持され、他端部はそれぞれ前記操作部材に摺動可能に支持されることを特徴とする押釦式スイッチ装置。
【請求項２】
請求項１に記載の押釦式スイッチ装置において、
前記基部は、プリント基板に実装されていることを特徴とする押釦式スイッチ装置。
【請求項３】
請求項１または２に記載の押釦式スイッチ装置において、
前記基部および前記操作部材のいずれか一方には、前記一対のリンク部材を収容する収容部が設けられていることを特徴とする押釦式スイッチ装置。
【請求項４】
請求項１〜３のいずれか１項に記載の押釦式スイッチ装置において、
前記作動部材は、前記操作部材の押圧操作により弾性変形する弾性変形部を有し、
前記一対のリンク部材は、それぞれ略コ字状を呈しており、前記作動部材を包囲するように前記一対のリンク部材は互いに係合されていることを特徴とする押釦式スイッチ装置。
【請求項５】
請求項４に記載の押釦式スイッチ装置において、
前記作動部材は、前記弾性変形部の内側に、前記可動接点に向けて突設された突起部を有し、
前記可動接点は、前記突起部に一体成形されていることを特徴とする押釦式スイッチ装置。
【請求項６】
請求項４に記載の押釦式スイッチ装置において、
前記可動接点は、前記弾性変形部の内側にて前記一対の固定接点に接離する導電性の板ばねに設けられることを特徴とする押釦式スイッチ装置。
【請求項７】
請求項１〜６のいずれか１項に記載の押釦式スイッチ装置において、
前記一対のリンク部材の他端部には、それぞれリンク部材の側面から摺動軸部が突設され、
前記操作部材は、前記操作部材の操作部の裏側の裏面に沿って前記摺動軸部を摺動可能に支持する軸支持部を有することを特徴とする押釦式スイッチ装置。
【請求項８】
請求項７に記載の押釦式スイッチ装置において、
前記摺動軸部の断面形状は、円形断面の一部に平坦面を設けた略Ｄ字形状をなし、
前記軸支持部の端部には、前記操作部材の取付時に前記摺動軸部の前記平坦面を案内する案内部が設けられていることを特徴とする押釦式スイッチ装置。
【請求項９】
請求項７に記載の押釦式スイッチ装置において、
前記摺動軸部の端面にすり割りが設けられていることを特徴とする押釦式スイッチ装置。
【請求項１０】
請求項７に記載の押釦式スイッチ装置において、
前記摺動軸部の基端部に、前記摺動軸部の突出方向と略垂直に切り欠きが設けられていることを特徴とする押釦式スイッチ装置。
【請求項１１】
請求項７〜１０のいずれか１項に記載の押釦式スイッチ装置において、
前記軸支持部は、前記操作部材の底面から離間して垂下された垂下部を有し、前記垂下部で前記摺動軸部を摺動可能に支持することを特徴とする押釦式スイッチ装置。
【請求項１２】
請求項７〜１１のいずれか１項に記載の押釦式スイッチ装置において、
前記操作部材は、前記軸支持部に対向して前記操作部材の底面から垂下され、前記軸支持部とともに前記摺動軸部を案内するリブを有することを特徴とする押釦式スイッチ装置。
【請求項１３】
支持プレートと、
押圧操作される操作部材と、
前記支持プレート上に配設され、前記操作部材の押圧操作により作動する接点部と、
前記支持プレートと前記操作部材の間に介装され、前記操作部材の押圧操作により弾性変形し、前記操作部材に対して弾性変形に応じた非線形の反発力を付与する作動部材と、
前記接点部を包囲するように前記支持プレートに立設して固定されたハウジングと、
前記ハウジングに回動可能に支持され、前記操作部材の押圧操作時に前記操作部材と共に動作して、前記操作部材が前記支持プレートに対して垂直方向に移動するように前記操作部材の移動方向を規制する一対のリンク部材とを備え、
前記ハウジングの端面と前記支持プレートの上面との当接部には、前記支持プレートから前記ハウジングへの伝熱量を低減するように伝熱抑制手段が設けられていることを特徴とする押釦式スイッチ装置。
【請求項１４】
請求項１３に記載の押釦式スイッチ装置において、
前記伝熱抑制手段は、前記ハウジングの端面から前記支持プレートの上面に向けて突設された突起部であることを特徴とする押釦式スイッチ装置。
【請求項１５】
請求項１４に記載の押釦式スイッチ装置において、
前記突起部は、略円錐形状をなし、
前記支持プレートには、前記突起部の先端が嵌合する嵌合部が設けられていることを特徴とする押釦式スイッチ装置。
【請求項１６】
請求項１３〜１５のいずれか１項に記載の押釦式スイッチ装置において、
前記伝熱抑制手段は、前記ハウジングと前記支持プレートの間に介装された断熱フィルムであることを特徴とする押釦式スイッチ装置。